(57)【要約】【課題】従来のぬいぐるみキャリアは袋状であり、ぬいぐるみに装着すると、その大部分が隠れていた。装着できるぬいぐるみのサイズも袋の開口部の直径以下と制限され、また、袋ごとバッグ等に固定する為、キャリア使用時はぬいぐるみを動かして遊ぶ事ができなかった。【解決手段】ぬいぐるみの背中に、キャリア固定フック２が設けられた面部材１を当て、前記面部材１の左右から伸びる、面ファスナーからなるベルトをぬいぐるみの肩から脇へと通して、面部材１の下部に設けられたベルト受け６に固定し、ぬいぐるみに装着する。この形態により、ぬいぐるみが隠れる部分が背中の一部と肩周りの一部のみとなる為、外観を損ねず、また、キャリア固定フック２が３６０度回頭する為、バッグ等へのキャリア固定時も、ぬいぐるみを動かして楽しめるようにする。【選択図】図１
2011110405.tif 000002
【特許請求の範囲】
【請求項１】
ぬいぐるみの背面に当てる面部材と、この面部材の中央上部に設けたフックと、前記面部材の左右両端に設けられ左右方向へ延びるベルトと、このベルトをぬいぐるみの肩の上部から前方を通って下方の脇へと通し、そのベルトの先端を、前記面部材の下部へ固定する固定手段と、を有してなり、前記ぬいぐるみに装着することを特徴とするフック付きぬいぐるみキャリア。
【請求項２】
前記ベルトは、面ファスナーからなり、前記固定手段は、このベルトの面ファスナーおよび前記面部材の下部に設けられた面ファスナーであることを特徴とする、請求項１記載のフック付きぬいぐるみキャリア。
【請求項３】
前記フックは、３６０度回頭し、着脱が容易な固定具を有していることを特徴とする請求項１記載のフック付きぬいぐるみキャリア。
【発明の詳細な説明】
【技術分野】
【０００１】  この発明は、ぬいぐるみ等の人形の携帯に用いるキャリアの形状に関する。
【背景技術】
【０００２】  従来のぬいぐるみキャリアは、図５および図６に示すように、袋状のキャリアをぬいぐるみに装着し、キャリアの背面に取り付けられたキャリア固定具を、バッグのベルト等に固定するものである。
【先行技術文献】
【特許文献】
【０００３】
【米国特許和文抄録】
文献番号５，８１３，５８４
【発明の概要】
【発明が解決しようとする課題】
【０００４】  しかしながら、以上の技術によれば、ぬいぐるみに装着する袋状のキャリアが、ぬいぐるみの胴体の大部分を隠してしまい、ぬいぐるみの外観を大きく損なう。また、装着するぬいぐるみのサイズが、袋状のキャリアの開口部の直径により制限される。また、キャリアの背面に取り付けられたキャリア固定具が可動不可能の為、バッグ等へのキャリア固定時にぬいぐるみの角度も固定され、ぬいぐるみを動かして楽しむ事ができない。【０００５】  そこで、この発明は、ぬいぐるみが隠れる部分を最小限にとどめることができ、より多くのサイズのぬいぐるみに装着でき、バッグ等へのキャリア固定時もぬいぐるみを動かす事ができるぬいぐるみキャリアを提供することを課題とする。
【課題を解決するための手段】
【０００６】  以上の課題を解決するために、第一発明は、ぬいぐるみの背面に当てる面部材と、この面部材の中央上部に設けたフックと、前記面部材の左右両端に設けられ左右方向へ延びるベルトと、このベルトをぬいぐるみの肩の上部から前方を通って下方の脇へと通し、そのベルトの先端を、前記面部材の下部へ固定する固定手段と、を有してなり、前記ぬいぐるみに装着することを特徴とするフック付きぬいぐるみキャリアである。【０００７】  また、第二発明は、前記ベルトは、面ファスナーからなり、前記固定手段は、このベルトの面ファスナーおよび前記面部材の下部に設けられた面ファスナーであることを特徴とするフック付きぬいぐるみキャリアである。【０００８】  また、第三発明は、前記フックは、３６０度回頭し、着脱が容易な固定具を有していることを特徴とするフック付きぬいぐるみキャリアである。
【発明の効果】
【０００９】  第一発明によれば、キャリア装着時にぬいぐるみが隠されるのが、ぬいぐるみの背面の面部材が当たる部分と、ベルトが通る、ぬいぐるみの肩の上部から前方・下方の脇のみである為、ぬいぐるみの外観が損なわれる部分が少ない。また、キャリアを装着したまま上に衣装を装着し、襟からフックを出せば、他の部分は全て衣装に隠れる為、ぬいぐるみの外観が全く損なわれない。【００１０】  第二発明によれば、ベルトが面ファスナーからなる為、ベルトの接着幅を調整する事で装着するぬいぐるみのサイズに合わせる事ができ、より多くのサイズのぬいぐるみに装着する事が可能となる。また、子供でも取り扱いが容易となる。【００１１】  第三発明によれば、面部材の中央上部に設けたフックが３６０度回頭可能である為、バッグ等へのキャリア固定時もぬいぐるみの角度が固定されず、ぬいぐるみを動かして楽しむ事が可能となる。
【図面の簡単な説明】
【００１２】
【図１】この発明の一実施形態を示す、表側の平面図である。
【図２】この発明の一実施形態を示す、裏側の平面図である。
【図３】この発明の一実施形態を示す、使用時の正面図である。
【図４】この発明の一実施形態を示す、使用時の側面図である。
【図５】従来技術を示す正面図である。
【図６】従来技術を示す側面図である。
【発明を実施するための形態】
【００１３】  この発明の一実施形態を、図１と図２と図３と図４に示す。
フック付きぬいぐるみキャリアの本体としての面部材１は布製であり、この面部材１の中央上部には、バッグ等への固定手段であるキャリア固定フック２が、面部材１とキャリア固定フック２の連結手段としての連結リボン３によって連結されている。
【００１４】  前記の面部材１の左右両端には、ぬいぐるみの固定手段としての面ファスナー（メス側）からなるベルト４とベルト５が、接着面を裏側に向け、左右方向へ延びるよう設けられている。また、面部材１の下部には、ベルト４とベルト５の先端を接着するための、ぬいぐるみの固定手段としての面ファスナー（オス側）からなるベルト受け６が設けられている。
【００１５】「実施形態の効果」
この実施形態によれば、キャリア装着時にぬいぐるみが隠されるのが、ぬいぐるみの背面の面部材１が当たる部分と、ベルト４とベルト５が通る、ぬいぐるみの肩の上部から前方・下方の脇のみである為、ぬいぐるみの外観が損なわれる部分が少ない。キャリアを装着したままぬいぐるみの上に衣装を装着し、襟からキャリア固定フック２のみを出せば、他の部分は全て衣装に隠れる為、ぬいぐるみの外観が全く損なわれないまま、バッグ等へのキャリア固定が可能となる。また、面部材１の上部の輪郭が弧を描いている為、ぬいぐるみの首周りを丸く包みながら固定することが可能となり、キャリアとぬいぐるみの間に隙間ができにくい。
【００１６】  ベルト４とベルト５が面ファスナーからなる為、ベルト４とベルト５をベルト受け６に接着する際の接着幅を調整する事で、装着するぬいぐるみのサイズに合わせる事ができ、より多くのサイズのぬいぐるみに装着する事が可能となる。また、子供でも取り扱いが容易となる。また、ベルト４とベルト５の始点と、ベルト受け６の位置が上下にずれている為、ぬいぐるみの肩周りを丸く包みながら固定することが可能となり、キャリアとぬいぐるみの間に隙間ができにくい。
【００１７】  面部材１の中央上部に設けた、バッグ等へのキャリア固定手段であるキャリア固定フック２が３６０度回頭可能な為、バッグ等へのキャリア固定時もぬいぐるみの角度が固定されず、ぬいぐるみを動かして楽しむ事が可能となる。また、前記キャリア固定フック２の着脱が容易である為、子供でも取り扱いが容易となり、取り付け可能な場所も増える。
【００１８】「他の実施形態」
図１と図２と図３と図４の実施形態では、ベルト４とベルト５の素材を面ファスナーとし、前記ベルトを面部材１に固定する手段を面ファスナーとしているが、他の実施形態では、ベルト４とベルト５を、先端にボタン類、ホック類、スナップ類、磁石類等の固定手段を備えた布製ベルトとし、ベルト受けも前記固定手段に準じたものでも良い。
【符号の説明】
【００１９】１  面部材            ２  キャリア固定フック    ３  連結リボン
４  ベルト            ５  ベルト            ６  ベルト受け
【図１】
2011110405.tif 000003
【図２】
2011110405.tif 000004
【図３】
2011110405.tif 000005
【図４】
2011110405.tif 000006
【図５】
2011110405.tif 000007
【図６】
2011110405.tif 000008